Podtech/llm-jp-corpus-v4-ja_patent huggingface dataset:
【手続補正書】
【提出日】平成20年9月4日(2008.9.4)
【手続補正１】
【補正対象書類名】特許請求の範囲
【補正対象項目名】全文
【補正方法】変更
【補正の内容】
【特許請求の範囲】
【請求項１】
容器口で延伸できる第１部分と、該第１部分周囲で周縁部を提供し、カバーを設定位置で固定するように容器カバーを被せられる容器の側部で収縮する第２部分とを有したフレキシブル体を含んだ容器カバーであって、前記第１部分は容器口で延伸されると、容器内の増加した圧力で容器カバーを膨張させるための緩領域を形成する延伸部を有し、前記第１部分は容器から中身を導き出すチューブを受領する開口部をさらに含んでいることを特徴とする容器カバー。
【請求項２】
第１部分は容器口のカバー部を形成する実質的円形領域を含んでおり、第２部分は、内側部分を形成する前記円形領域の周縁部周囲を延びる外側部分を形成する環体として提供されることを特徴とする請求項１記載の容器カバー。
【請求項３】
容器カバーの緩領域は容器カバー本体を形成する材料よりもフレキシビリティが高い素材で提供され、前記緩領域は乳首を形成することを特徴とする請求項１又は２記載の容器カバー。
【請求項４】
乳首は周囲部分よりも厚手材料で形成されており、容器カバーから隆起していることを特徴とする請求項１又は２記載の容器カバー。
【請求項５】
乳首はチューブ挿入用の開口部を含んでいることを特徴とする請求項１から４のいずれかに記載の容器カバー。
【請求項６】
容器カバーの第１部分は厚さ０．０１８ｍｍから０．０２５ｍｍの材料で形成されることを特徴とする請求項１から５のいずれかに記載の容器カバー。
【請求項７】
容器カバーの第１部分は通気手段を含んでいることを特徴とする請求項１から６のいずれかに記載の容器カバー。
【請求項８】
通気手段はバルブで提供されることを特徴とする請求項７記載の容器カバー。
【請求項９】
バルブは片方向バルブであることを特徴とする請求項８記載の容器カバー。
【請求項１０】
通気手段にはチューブを受領する開口部の他に通気開口部が１以上提供されていることを特徴とする請求項７記載の容器カバー。
【請求項１１】
通気手段は厚手材料で成る一連の同心境界を含んでおり、前記境界間には開口部が提供されていることを特徴とする請求項７記載の容器カバー。
【請求項１２】
境界は同心環体として提供されることを特徴とする請求項１１記載の容器カバー。
【請求項１３】
通気手段は厚手領域の格子が存在する領域を提供している同心境界を含んでおり、前記格子を形成する前記厚手領域に隣接される領域には１以上の開口部が提供されていることを特徴とする請求項７記載の容器カバー。
【請求項１４】
通気手段はチューブ又はストローを受領する弱質領域を含んでいることを特徴とする請求項７から１３のいずれかに記載の通気手段。
【請求項１５】
通気手段は弱質領域を通過したストローを支持できるドーム構造を含んでいることを特徴とする請求項７から１４のいずれかに記載の容器カバー。
【請求項１６】
チューブを受領する開口部又は通気開口部は容器カバーを形成する材料内で丸形突出物を形成する一連のカット部によって形成されることを特徴とする請求項１から１５のいずれかに記載の容器カバー。
【請求項１７】
それぞれの丸形突出物は接着部を含んでおり、前記丸形突出物は密接して開口部を密封することを特徴とする請求項１６記載の容器カバー。
【請求項１８】
丸形突出物は接着材料で形成されており、開口部を閉鎖させることを特徴とする請求項１６記載の容器カバー。
【請求項１９】
チューブを受領する通気開口部又は内側部分の通気開口部はそれぞれ厚手材料で成る１以上の領域によって囲まれていることを特徴とする請求項１から１８のいずれかに記載の容器カバー。
【請求項２０】
フレキシブル体を形成する材料はラテックス材料、天然ラテックス又はポリウレタンから選択されることを特徴とする請求項１から１９のいずれかに記載の容器カバー。
【請求項２１】
材料は生分解可能であることを特徴とする請求項２０記載の容器カバー。
【請求項２２】
容器側部をグリップする容器カバーの外側部分は厚手材料領域及び／又は隆起材料領域を含んでいることを特徴とする請求項１から２１のいずれかに記載の容器カバー。
【請求項２３】
容器カバーは緩領域から容器カバー周縁部の方向に延び、リブ構造を形成する一連の長形リブ体を含んでいることを特徴とする請求項１から２２のいずれかに記載の容器カバー。
【請求項２４】
外側部分はフレキシブル体を容器口上に引き寄せ、容器側部上で引き下げるのを助けるべくグリップできるように前記外側部分から延び出るタブ領域を含んでいることを特徴とする請求項１から２３のいずれかに記載の容器カバー。
【請求項２５】
零れ防止装置又は容器内容物の汚染防止装置として提供される請求項１から２４のいずれかに記載の容器カバー。
【請求項２６】
層状材料で形成され、前記層状材料の少なくとも１層はカバー破壊時に放出される染料を含んでおり、カバーに手が加わっていることを視覚的に示すことを特徴とする請求項１から２５のいずれかに記載の容器カバー。
【手続補正書】
【提出日】平成20年9月4日(2008.9.4)
【手続補正１】
【補正対象書類名】特許請求の範囲
【補正対象項目名】全文
【補正方法】変更
【補正の内容】
【特許請求の範囲】
【請求項１】
食品を支持するための中央部（３）と、食品を横方向に包含するための前記中央部（３）から延在する少なくとも１つの周辺部（４）とを有する本体（２）を備え、前記中央部（３）および前記周辺部（４）が共に同じ可食性材料で形成される、可食性食品容器であって、
前記周辺部（４）が、異なる力学的強度を有する１つまたは複数の取外し可能領域（５）を有し、これにより使用者が、このような１つまたは複数の取外し可能領域（５）を分離および除去するのを容易にする、可食性食品容器において、
当該１つまたは複数の取外し可能領域（５）が、当該中央部（３）の密度に対して異なる密度を有し、それにより、容器が望ましくない領域において割れる危険を避けることが出来ることを特徴とする、可食性食品容器。
【請求項２】
当該中央部（３）が、当該１つまたは複数の取外し可能領域（５）より高い密度を有することを特徴とする、請求項１に記載の容器。
【請求項３】
当該１つまたは複数の取外し可能領域（５）が、当該中央部（３）と異なる厚みを有することを特徴とする、請求項１に記載の容器。
【請求項４】
当該本体（２）が、当該中央部（３）と当該１つまたは複数の取外し可能領域（５）との間の結合縁部に、少なくとも１つの切取り線（６）を有することを特徴とする、請求項１に記載の容器。
【請求項５】
当該中央部（３）が、実質的に平坦な、円の形状を有し、当該周辺部（４）が、実質的に環状の形状を有することを特徴とする、請求項４に記載の容器。
【請求項６】
当該周辺部（４）が、別の切取り線（６’）を有することを特徴とする、請求項５に記載の容器。
【請求項７】
当該別の切取り線（６’）が、放射状に延在することを特徴とする、請求項６に記載の容器。
【請求項８】
当該別の切取り線（６’）が、円弧に沿って延在することを特徴とする、請求項６に記載の容器。
【請求項９】
当該別の切取り線（６’）が、多角形形状（７）を画定することを特徴とする、請求項６に記載の容器。
【請求項１０】
当該多角形形状（７）が、三角形であることを特徴とする、請求項９に記載の容器。
【請求項１１】
当該周辺部（４）が、当該中央部（３）より大きい平均の厚みを有することを特徴とする、請求項３に記載の容器。
【請求項１２】
当該中央部（３）が、上方面に実質的に液体不浸透性の層を有することを特徴とする、請求項１から１１のいずれか１つに記載の容器。
【請求項１３】
請求項１から１２のいずれか１つに記載の可食性食品容器を製造する方法であって、
ａ）可食性製品の練り粉を用意するステップと、
ｂ）所定量の前記練り粉を伸ばして広げて、少なくとも１つのシート状の円板を形成するステップと、
ｃ）中央部（３）、および前記中央部（３）の周辺に配置される周辺部（４）を有し、前記中央部（３）の力学的強度に対して異なる力学的強度を有する１つまたは複数の取外し可能領域（５）が形成され、これにより使用者が前記取外し可能領域（５）を分離および除去するのを容易にする半完成品を得るために、少なくとも１度前記円板を成形するステップと、
ｄ）前記半完成品を少なくとも１度調理するステップと
を含む方法において、
当該１つまたは複数の取外し可能領域（５）が、当該中央部（３）の密度に対して異なる密度を有し、それにより、容器が望ましくない領域において割れる危険を避けることが出来ることを特徴とする方法。
【請求項１４】
当該成形するステップｃ）が、当該少なくとも１度の調理するステップｄ）の前に、当該中央部（３）でのみ行われる少なくとも１度の加圧動作を含むことを特徴とする請求項１３に記載の方法。
【請求項１５】
当該方法が、当該調理するステップｄ）の後、当該中央部（３）でのみ行われる別の加圧動作を含むことを特徴とする請求項１４に記載の方法。
【請求項１６】
当該成形するステップｃ）が、当該少なくとも１度の調理するステップｄ）の後、当該中央部（３）でのみ行われる少なくとも１度の加圧動作を含み、当該少なくとも１度の調理するステップｄ）が、部分的に調理するステップであることを特徴とする請求項１３に記載の方法。
【請求項１７】
当該方法が、当該加圧動作の後、当該半完成品の調理を完了することを含むことを特徴とする請求項１６に記載の方法。
【請求項１８】
当該少なくとも１つの加圧動作が、当該少なくとも１つの調理するステップｄ）と同時に行われることを特徴とする請求項１４に記載の方法。
【請求項１９】
当該調理するステップｄ）が、当該中央部（３）を熱せられたプラテンに宛がって接触加熱すること、および当該周辺部(４)を空気加熱することを含むことを特徴とする請求項１８に記載の方法。
【手続補正書】
【提出日】平成20年6月24日(2008.6.24)
【手続補正１】
【補正対象書類名】特許請求の範囲
【補正対象項目名】全文
【補正方法】変更
【補正の内容】
【特許請求の範囲】
【請求項１】
少なくとも約３０ＭＰａ ｍ1/2の靭性を有するマイクロ波プラズマ化学気相析出によって成長させた単結晶ダイヤモンド。
【請求項２】
靭性が少なくとも約３５ＭＰａ ｍ1/2である、請求項１に記載の単結晶ダイヤモンド。
【請求項３】
靭性が少なくとも約４０ＭＰａ ｍ1/2である、請求項２に記載の単結晶ダイヤモンド。
【請求項４】
硬度が約１００〜約１６０ＧＰａである、請求項１に記載の単結晶ダイヤモンド。
【請求項５】
極超靭性単結晶ダイヤモンドを成長させる方法であって：
ｉ）ダイヤモンドの成長表面での温度勾配を最小限にするために、高い融点および高い熱伝導率を有する材料より成るヒートシンクホルダ内に種ダイヤモンドを配置するステップと；
ｉｉ）成長するダイヤモンド結晶の温度が約１０５０〜１２００℃の範囲であるように、ダイヤモンドの成長表面の温度を制御するステップと；
ｉｉｉ）雰囲気が約４％ Ｎ２／ＣＨ４の窒素対メタン比を含む析出チャンバ内でダイヤモンドの成長表面にて、マイクロ波プラズマ化学気相析出によって単結晶ダイヤモンドを成長させるステップと；
ｉｖ）アニーリング済みの単結晶ダイヤモンドが少なくとも約３０ＭＰａ ｍ1/2の靭性を有するように、単結晶ダイヤモンドをアニーリングするステップと；
を含む方法。
【請求項６】
ステップｉｖ）が、硬度が約１００〜約１６０ＧＰａであるように、約５〜約７ＧＰａを超える圧力および約２０００℃〜約２７００℃の温度にて単結晶ダイヤモンドをアニーリングすることを含む、請求項５に記載の方法。
【請求項７】
アニーリング前の単結晶ダイヤモンドが実質的に無色である、請求項５に記載の方法。
【請求項８】
単結晶ダイヤモンド基材上に単結晶ＣＶＤダイヤモンドを三次元で生成させるプロセスであって：
ｉ）単結晶ダイヤモンド基材の第１の＜１００＞面に単結晶ダイヤモンドを成長させるステップと；
ｉｉ）その上に成長した単結晶ダイヤモンドと共に前記単結晶ダイヤモンド基材を再配置するステップと；
ｉｉｉ）前記単結晶ダイヤモンド基材の第２の＜１００＞面に単結晶ダイヤモンドを成長させるステップと；
を含むプロセス。
【請求項９】
析出温度が約１１５０℃〜約１２５０℃である、請求項８に記載のプロセス。
【請求項１０】
生成された前記三次元ダイヤモンドが約１立方インチよりも大きい、請求項８に記載のプロセス。
【請求項１１】
請求項１に記載の単結晶ダイヤモンドを含むノズル。
【請求項１２】
請求項８に記載のプロセスによって生成された単結晶ＣＶＤダイヤモンドを含むノズル。
【請求項１３】
ノズルが高圧水噴射切断装置で使用される、請求項１１に記載のノズル。
【請求項１４】
請求項１に記載の単結晶ダイヤモンドを含む刃先を含む、外科器具用切刃。
【請求項１５】
請求項８に記載のプロセスによって生成された単結晶ＣＶＤダイヤモンドを含む刃先を含む、外科器具用切刃。
【請求項１６】
請求項１に記載の単結晶ダイヤモンドを含む刃先を含む、かみそり。
【請求項１７】
請求項８に記載のプロセスによって生成された単結晶ＣＶＤダイヤモンドを含む刃先を含む、かみそり。
【請求項１８】
請求項１に記載の単結晶ダイヤモンドを含む、伸線ダイ。
【請求項１９】
請求項８に記載のプロセスによって生成された単結晶ＣＶＤダイヤモンドを含む、伸線ダイ。
【請求項２０】
請求項１に記載の単結晶ダイヤモンドを含む、ベアリング。
【請求項２１】
請求項８に記載のプロセスによって生成された単結晶ＣＶＤダイヤモンドを含む、ベアリング。
【請求項２２】
請求項１に記載の単結晶ダイヤモンドを含む、ダイヤモンドアンビル。
【請求項２３】
請求項８に記載のプロセスによって生成された単結晶ＣＶＤダイヤモンドを含む、ダイヤモンドアンビル。
【請求項２４】
請求項１の単結晶ダイヤモンドを含む、宝石。
【請求項２５】
請求項８に記載のプロセスによって生成された単結晶ＣＶＤダイヤモンドを含む、宝石。
【請求項２６】
請求項１の単結晶ダイヤモンドを含む、光学部品。
【請求項２７】
請求項８に記載のプロセスによって生成された単結晶ＣＶＤダイヤモンドを含む、光学部品。
【手続補正書】
【提出日】平成20年8月25日(2008.8.25)
【手続補正１】
【補正対象書類名】特許請求の範囲
【補正対象項目名】全文
【補正方法】変更
【補正の内容】
【特許請求の範囲】
【請求項１】
対象の神経系内のグリオーシスおよび/もしくはグリア瘢痕および/もしくは炎症および/もしくは軸索成長阻害を防止する、またはその量を低減させるための、Eph受容体仲介性シグナル伝達のレベルを低下させるために、Eph受容体のレベルおよび/もしくは機能、またはEph受容体機能に必要とされる分子を低減させる薬剤。
【請求項２】
Eph受容体がEphA4受容体またはその機能的ホモログである、請求項1記載の薬剤。
【請求項３】
Eph受容体がEphA4受容体である、請求項2記載の薬剤。
【請求項４】
EphA4受容体アンタゴニストである、請求項３記載の薬剤。
【請求項５】
エフリンアンタゴニストである、請求項３記載の薬剤。
【請求項６】
EphA4受容体mRNA転写物に対するアンチセンス、センス、DNA由来RNAiまたは合成RNAiである、請求項１記載の薬剤。
【請求項７】
EphA4受容体に特異的な抗体である、請求項１記載の薬剤。
【請求項８】
対象がヒトである、請求項1記載の薬剤。
【請求項９】
物質の有効性を測定する方法であって、非ヒト実験対象の中枢神経系を傷害する段階と、試験する物質を前記傷害中枢神経系に前記物質の有効性を評価するのに適した期間および条件下で投与する段階と、次いで一定期間後に前記中枢神経系傷害の部位でグリオーシスおよび/またはグリア瘢痕および/または炎症および/または軸索再生成長のレベルを評価する段階とを含む方法。
【請求項１０】
傷害される中枢神経系が脊髄である、請求項９記載の方法。
【請求項１１】
物質がEphA4受容体を阻害する、請求項９または１０記載の方法。
【請求項１２】
物質がEphA4アンタゴニストである、請求項１１記載の方法。
【請求項１３】
物質がエフリンアンタゴニストである、請求項１１記載の方法。
【請求項１４】
物質がEphA4受容体mRNA転写物に対するアンチセンス、センス、DNA由来RNAiまたは合成RNAiである、請求項９記載の方法。
【請求項１５】
物質がEphA4受容体に特異的な抗体である、請求項１１記載の方法。
【請求項１６】
物質の有効性を測定する方法であって、細胞を試験する物質とインビトロで該物質の有効性を評価するのに適した期間および条件下で接触させる段階と、次いで一定期間後にグリオーシスおよび/またはグリア瘢痕および/または炎症および/または軸索再生に関与する前記細胞の性向を評価する段階とを含む方法。
【請求項１７】
物質がEphA4受容体を阻害する、請求項１６記載の方法。
【請求項１８】
物質がEphA4アンタゴニストである、請求項１６記載の方法。
【請求項１９】
物質がエフリンアンタゴニストである、請求項１６記載の方法。
【請求項２０】
物質がEphA4受容体mRNA転写物に対するアンチセンス、センス、DNA由来RNAiまたは合成RNAiである、請求項１６記載の方法。
【請求項２１】
物質がEphA4に特異的な抗体である、請求項１６記載の方法。
【請求項２２】
対象の神経系内のグリオーシスおよび/もしくはグリア瘢痕および/もしくは炎症を防止する、またはその量を低減させるための、EphA4仲介性シグナル伝達のアンタゴニスト。
【請求項２３】
エフリンアンタゴニストである、請求項２２記載のアンタゴニスト。
【請求項２４】
EphA4受容体mRNA転写物に対するアンチセンス、センス、DNA由来RNAiまたは合成RNAiである、請求項２２記載のアンタゴニスト。
【請求項２５】
EphA4に特異的な抗体である、請求項２２記載のアンタゴニスト。
【請求項２６】
請求項１〜８のいずれか１項記載の薬剤または請求項２２〜２５のいずれか１項記載のアンタゴニストと一つまたは複数の薬学的に許容される担体および/または希釈剤および/または賦形剤とを含む薬学的組成物。
【手続補正書】
【提出日】平成20年9月4日(2008.9.4)
【手続補正１】
【補正対象書類名】特許請求の範囲
【補正対象項目名】全文
【補正方法】変更
【補正の内容】
【特許請求の範囲】
【請求項１】
過酸化物消毒剤；
疎水性成分、および
水以外の親水性成分
を含む、哺乳動物の組織の上の微生物を死滅させるかまたは不活化させるための抗菌組成物であって、患部と、１種または複数の微生物を死滅させるかまたは不活化させるのに有効な量で接触される、前記組成物。
【請求項２】
過酸化物消毒剤、および
アルファ−ヒドロキシ酸、ベータ−ヒドロキシ酸、（Ｃ１〜Ｃ４）アルキルカルボン酸、（Ｃ６〜Ｃ１２）アリールカルボン酸、（Ｃ６〜Ｃ１２）アラルキルカルボン酸、（Ｃ６〜Ｃ１６）アルカリルカルボン酸、フェノール系化合物、（Ｃ１〜Ｃ１０）アルキルアルコール、エーテルグリコール、またはそれらの組合せからなる群より選択されるエンハンサーの有効量、
親水性成分、
界面活性剤、ならびに
疎水性ビヒクル
を含む抗菌組成物であって、
ここで、前記抗菌組成物が、５重量％未満の水を含み、そしてスクラブ・カップ法によって試験をしたときに、前記組成物が１０分間で、ヒトの皮膚上の微生物を２対数減少させる、前記組成物。
【請求項３】
Ｃ６〜Ｃ１４アルキルカルボン酸、Ｃ６〜Ｃ１４アルキルカルボキシレートエステルカルボン酸、Ｃ８〜Ｃ２２モノ−またはポリ−不飽和カルボン酸、および天然油からなる群より選択される消毒剤；ならびに
有効量のエンハンサー成分
を含む、哺乳動物の組織の上および／または対象の創傷の中の微生物を死滅させるかまたは不活化させるための抗菌組成物であって、患部と、１種または複数の微生物を死滅または不活化させるのに有効な量で接触される、前記組成物。
【請求項４】
Ｃ６〜Ｃ１４アルキルカルボン酸、Ｃ６〜Ｃ１４アルキルカルボキシレートエステルカルボン酸、Ｃ８〜Ｃ２２モノ−またはポリ−不飽和カルボン酸、および天然油からなる群より選択される消毒剤；ならびに
重量で前記組成物の最大部分を占める疎水性成分
を含む、哺乳動物の皮膚の上で、微生物を死滅させるかあるいは不活化させるための抗菌組成物であって、患部と、１種または複数の微生物を死滅または不活化させるのに有効な量で接触される、前記組成物。
【請求項５】
Ｃ６〜Ｃ１４アルキルカルボン酸およびＣ６〜Ｃ１４アルキルカルボキシレートエステルカルボン酸、ならびにＣ８〜Ｃ２２モノ−またはポリ−不飽和カルボン酸からなる群より選択される消毒剤；
アルファ−ヒドロキシ酸、ベータ−ヒドロキシ酸、キレート化剤、（Ｃ１〜Ｃ４）アルキルカルボン酸、（Ｃ６〜Ｃ１２）アリールカルボン酸、（Ｃ６〜Ｃ１２）アラルキルカルボン酸、（Ｃ６〜Ｃ１６）アルカリルカルボン酸、フェノール系化合物、（Ｃ１〜Ｃ１０）アルキルアルコール、エーテルグリコール、またはそれらの組合せを含むエンハンサー成分の有効量；
界面活性剤；ならびに
親水性ビヒクル
を含み、粘度が少なくとも５００ｃｐｓである、抗菌組成物。
【請求項６】
少なくとも０．２パーセントの濃度で存在する、Ｃ６〜Ｃ１４アルキルカルボン酸およびＣ６〜Ｃ１４アルキルカルボキシレートエステルカルボン酸からなる群より選択される消毒剤：
アルファ−ヒドロキシ酸、ベータ−ヒドロキシ酸、キレート化剤、（Ｃ１〜Ｃ４）アルキルカルボン酸、（Ｃ６〜Ｃ１２）アリールカルボン酸、（Ｃ６〜Ｃ１２）アラルキルカルボン酸、（Ｃ６〜Ｃ１６）アルカリルカルボン酸、フェノール系化合物、（Ｃ１〜Ｃ１０）アルキルアルコール、エーテルグリコール、またはそれらの組合せを含むエンハンサー成分の有効量；および
疎水性ビヒクルを含む、抗菌組成物。
【請求項７】
過酸化物、Ｃ６〜Ｃ１４アルキルカルボン酸、Ｃ６〜Ｃ１４アルキルカルボキシレートエステルカルボン酸、Ｃ８〜Ｃ２２モノ−またはポリ−不飽和カルボン酸、抗菌性天然油からなる群より選択される消毒剤、
親水性成分、および
疎水性成分
を含む抗菌組成物であって、
ここで前記組成物が、５重量％未満の水を含み、そして
ここで、乾燥した皮膚の部位の上でスクラブ・カップ法によって試験をしたときに、前記組成物が６時間内に、ヒトの皮膚上の微生物を１対数減少させる、前記組成物。
【手続補正書】
【提出日】平成20年9月5日(2008.9.5)
【手続補正１】
【補正対象書類名】特許請求の範囲
【補正対象項目名】全文
【補正方法】変更
【補正の内容】
【特許請求の範囲】
【請求項１】
ジフェニルエーテル、フェノール、ハロゲン化フェノール、ビスフェノール、レソルシノールおよびその誘導体、アニリド、ならびにそれらの組合せからなる群より選択される消毒剤、
親水性成分、
界面活性剤、および
疎水性成分、
を含む、哺乳動物の組織の上で、微生物を死滅させるかまたは不活化させるための抗菌組成物であって、患部と少なくとも１０ｍｇ／ｃｍ2の組織の量で接触される、前記組成物。
【請求項２】
粘膜組織が、鼻腔、前鼻孔または食道腔の少なくとも一部である、請求項１に記載の抗菌組成物。
【請求項３】
ジフェニルエーテル、フェノール、ハロゲン化フェノール、ビスフェノール、レソルシノールおよびその誘導体、アニリド、およびそれらの組合せからなる群より選択される消毒剤、および
アルファ−ヒドロキシ酸、ベータ−ヒドロキシ酸、（Ｃ１〜Ｃ４）アルキルカルボン酸、（Ｃ６〜Ｃ１２）アリールカルボン酸、（Ｃ６〜Ｃ１２）アラルキルカルボン酸、（Ｃ６〜Ｃ１６）アルカリルカルボン酸、フェノール系化合物、（Ｃ１〜Ｃ１０）アルキルアルコール、エーテルグリコール、またはそれらの組合せからなる群より選択されるエンハンサーの有効量、
親水性成分、
レシチン以外の界面活性剤、ならびに
疎水性ビヒクル
を含む抗菌組成物であって；
ここで、前記組成物が少なくとも５重量％の水を含み；
ここで、乾燥した皮膚の部位の上でスクラブ・カップ法によって試験をしたときに、前記組成物が６時間内に、ヒトの皮膚上の微生物を１対数減少させる、前記組成物。
【請求項４】
ジフェニルエーテル、フェノール、ハロゲン化フェノール、ビスフェノール、レソルシノールおよびその誘導体、アニリド、およびそれらの組合せからなる群より選択される消毒剤；
有効量のエンハンサー成分；
親水性成分；ならびに
重量で前記組成物の最大部分を占める疎水性成分
を含む、対象の皮膚、粘膜組織、および／または創傷における感染を治療および／または予防するための抗菌組成物であって、前記皮膚、粘膜組織、および／または創傷と、１種または複数の微生物を死滅または不活化させるのに有効な量で接触される、前記組成物。
【手続補正書】
【提出日】平成20年7月24日(2008.7.24)
【手続補正１】
【補正対象書類名】特許請求の範囲
【補正対象項目名】全文
【補正方法】変更
【補正の内容】
【特許請求の範囲】
【請求項１】
グルタチオンもしくはその薬理学的に許容される塩、および／またはオロット酸もしくはその誘導体もしくはそれらの薬理学的に許容される塩を含有する、口内炎の予防または治療用組成物。
【請求項２】
グルタチオンが還元型グルタチオンまたは酸化型グルタチオンである、請求項１記載の組成物。
【請求項３】
オロット酸もしくはその誘導体またはそれらの薬理学的に許容される塩が、オロット酸フリー体またはオロット酸亜鉛である、請求項１記載の組成物。
【請求項４】
口内炎が、放射線療法または化学療法を原因とする口内炎である、請求項１記載の組成物。
【請求項５】
組成物が、チュアブル錠、舌下錠、チューインガム、グミキャンデーまたはドロップである請求項１記載の組成物。
【手続補正書】
【提出日】平成20年9月5日(2008.9.5)
【手続補正１】
【補正対象書類名】特許請求の範囲
【補正対象項目名】全文
【補正方法】変更
【補正の内容】
【特許請求の範囲】
【請求項１】
哺乳動物の組織の上で、微生物を死滅させるかあるいは不活化させる方法であって、前記方法が、患部を少なくとも１０ｍｇ／ｃｍ2（組織）の量で抗菌組成物と接触させることを含み、前記抗菌組成物が：
ビグアニド、ビスビグアニド、高分子量四級アンモニウム化合物、銀およびその錯体、低分子量四級アンモニウム化合物、ならびにそれらの組合せからなる群より選択される消毒剤、
親水性成分、
界面活性剤、および
疎水性ビヒクル
を含む、方法。
【請求項２】
前記哺乳動物の組織が、鼻腔、前鼻孔または食道腔の少なくとも一部の粘膜組織である、請求項１に記載の方法。
【請求項３】
抗菌組成物であって：
ビグアニド、ビスビグアニド、高分子量四級アンモニウム化合物、銀およびその錯体、低分子量四級アンモニウム化合物、ならびにそれらの組合せからなる群より選択される消毒剤、
アルファ−ヒドロキシ酸、ベータ−ヒドロキシ酸、（Ｃ１〜Ｃ４）アルキルカルボン酸、（Ｃ６〜Ｃ１２）アリールカルボン酸、（Ｃ６〜Ｃ１２）アラルキルカルボン酸、（Ｃ６〜Ｃ１６）アルカリールカルボン酸、フェノール系化合物、（Ｃ１〜Ｃ１０）アルキルアルコール、エーテルグリコール、またはそれらの組合せからなる群より選択されるエンハンサーの有効量、
親水性成分、
レシチン以外の界面活性剤、および
疎水性ビヒクルを含み、
前記組成物が少なくとも５％の水を含み；
ここで、乾燥した皮膚の部位の上でスクラブ・カップ法によって試験をしたときに、前記組成物が６時間内に、ヒトの皮膚上の微生物を１対数減少させる、抗菌組成物。
【手続補正書】
【提出日】平成20年6月20日(2008.6.20)
【手続補正１】
【補正対象書類名】明細書
【補正対象項目名】００１２
【補正方法】変更
【補正の内容】
【００１２】
この明細書において“水素及び／又は一酸化炭素の生成”とは、水素及び一酸化炭素が別々の又は混合された生成ガス流として製造できることを意味する。それ故に生成ガス流は９６容量％以上、好ましくは９９容量％以上の水素を含有する浄化された水素流でもよい。生成物流は９６容量％以上、好ましくは９９容量％以上の一酸化炭素を含有する浄化された一酸化炭素流でもよい。生成物流は４：１、しばしば３：１、更にしばしば２：１、好ましくは１：１の予め決められた水素：一酸化炭素−モル比を有する水素と一酸化炭素との混合物を含有する流れでもよい。
【手続補正２】
【補正対象書類名】明細書
【補正対象項目名】００２９
【補正方法】変更
【補正の内容】
【００２９】
炭化水素供給物（１）を改質領域からの煙道ガスとの間接的熱交換によって熱交換器（２）で予熱し、反応器（３）において慣用の手段で脱硫しそして混合装置（３６）で流れ（４）と混合する。この混合物を熱交換器（５）で煙道ガスと熱交換することによって加熱する。場合によってはこの流れを、脱硫供給物と混合する前に熱交換器（５）で別々に加熱してもよい。脱硫した供給物と水蒸気との予熱された混合物を改質反応器（８）及び（９）に個々に供給される並列流（６）及び（７）に分割する。改質反応器は差し込み式管で図示しているが、燃焼用空気によって加熱されるあらゆる種類の改質反応器でもよい。改質反応器からの生成物出口ガス（１０）及び（１１）は、１つのプロセスガス流（１２）中に混入され、ボイラー（１３）での水蒸気生成によって冷却される。冷却された流れは慣用のシフト転化装置（１４）に通されそして上記転化装置からの出口ガスを更にボイラー（１５）、ボイラー供給水（ＢＦＷ）予熱器（１６）及び１つ又は複数の最終冷却器（１７）で更に冷却する。水を分離器（１８）で未凝縮ガスから分離する。この凝縮液は一般に処理段階に送り、他方、未凝縮ガス（１９）は水素浄化装置（２０）（ＰＳＡ装置）に送り、そこで水素の殆どが他の未凝縮ガスから分離される。水素は、バーナー（２９、３１）及び改質反応器（８、９）での圧力低下を克服するために排ガス（２２）の圧力が送風機（２３）中で増加する間に、かつ、改質領域で燃料として使用される前に生成物（２１）として回収する。
【手続補正３】
【補正対象書類名】明細書
【補正対象項目名】００３８
【補正方法】変更
【補正の内容】
【００３８】
１・・・供給物
２、５・・・熱交換器
３・・・反応器
４・・・プロセス流
６、７・・・並列流
８、９・・・改質反応器
１０、１１・・・生成物出口ガス
１２・・・プロセスガス流
１３、１５、３３・・・ボイラー
１６・・・ボイラー供給水（ＢＦＷ）予熱器
１７・・・最終冷却器
１８・・・分離器
１９・・・未凝縮ガス
２０・・・水素浄化装置
２１・・・生成物
２２・・・排ガス
２３・・・送風機
２４・・・外部燃料
２５、２６・・・流れ
２７・・・燃焼用空気
２８・・・コンプレッサー
２９、３１・・・バーナー
３０、３２・・・煙道ガス
３４・・・ボイラー供給水（ＢＦＷ）
３５・・・水蒸気回収装置
【手続補正書】
【提出日】平成20年8月29日(2008.8.29)
【手続補正１】
【補正対象書類名】特許請求の範囲
【補正対象項目名】全文
【補正方法】変更
【補正の内容】
【特許請求の範囲】
【請求項１】
式Ｉ−ａ
【化１】
2008512362.tif 000001
式中、
Ｒ１は、ＯＨ、ＮＨ２およびＮＨ３＋Ｘ−から選択され、ここでＸは無機アニオンであり、Ｒ２は、Ｃ７〜Ｃ１５から選択される単分岐飽和または不飽和脂肪族炭化水素部分であり、Ｒ５は、Ｈおよび、Ｃ６〜Ｃ１４から選択される線形飽和または不飽和脂肪族炭化水素部分から選択され、Ｒ２およびＲ５は、一緒に合計７〜１５の炭素原子を有する、
で表される化合物であって、ただし、該エステル化合物が、２−エチルヘキシルグリシナートおよびグリコール酸エチルヘキシルから選択されない、前記化合物。
【請求項２】
式Ｉ−ｂ
【化２】
2008512362.tif 000002
式中、Ｒ１は、ＯＨ、ＮＨ２およびＮＨ３＋Ｘ−から選択され、ここでＸは無機アニオンであり、Ｒ２は、Ｃ７〜Ｃ１５から選択される単分岐飽和炭化水素部分または不飽和脂肪族炭化水素部分である、
で表される、請求項１に記載のエステル化合物。
【請求項３】
Ｒ２が飽和されている、請求項１または２に記載の化合物。
【請求項４】
Ｒ２が、式ＩＩ
【化３】
2008512362.tif 000003
式中、Ｃ１とＣ２（Ｃ１およびＣ２は、式ＩＩに示される位置１および位置２の炭素原子である）との間の結合が単結合、または二重結合であり、Ｒ３およびＲ４は、独立して、メチル、エチル、プロピル、ブチル、ペンチル、ヘキシル、ヘプチル、オクチル、ノニル、デシル、ウンデシルおよびドデシルから選択される、
で表される炭化水素部分である、請求項１または２に記載の化合物。
【請求項５】
Ｃ１とＣ２との間の結合が二重結合である、請求項４に記載の化合物。
【請求項６】
Ｒ３＝エチルおよびＲ４＝プロピルである化合物、Ｒ３＝ブチルおよびＲ４＝メチルである化合物、Ｒ３＝ブチルおよびＲ４＝ペンチルである化合物、Ｒ３＝ヘキシルおよびＲ４＝プロピルである化合物、Ｒ３＝ヘキシルおよびＲ４＝ヘプチルである化合物、およびＲ３＝オクチルおよびＲ４＝ペンチルである化合物からなる群から選択される、請求項５に記載の化合物。
【請求項７】
請求項１〜６のいずれかに記載の化合物または化合物の混合物を含む、抗細菌、抗真菌または悪臭中和組成物。
【請求項８】
消費者製品、家庭用品、化粧およびパーソナルケア用品、人体に使用する製品、ヒトの皮膚に適用する製品、および芳香消費材から選択される、請求項７に記載の組成物。
【請求項９】
抗細菌、抗真菌または悪臭中和組成物の製造のための、請求項１〜６のいずれかに記載の化合物の使用。
【請求項１０】
消費者製品、家庭用品、化粧およびパーソナルケア用品、人体に使用する製品、ヒトの皮膚に適用する製品、および芳香消費材における、抗細菌、抗真菌または悪臭中和剤としての、請求項１〜６のいずれかに記載の化合物の使用。
【請求項１１】
請求項１〜６のいずれかに記載の抗細菌、抗真菌または悪臭中和化合物の有効量を、製品に混合することによる、抗細菌、抗真菌および／または悪臭中和製品の製造方法。
【請求項１２】
化粧およびパーソナルケア用品、人体に使用する製品、ヒトの皮膚に適用する製品、および芳香消費材における、請求項１〜６のいずれかに記載の化合物、２−エチルヘキシルグリシナートおよびグリコール酸エチルヘキシルからなる群から選択される化合物の、抗細菌、抗真菌または悪臭中和剤としての使用。
【請求項１３】
化粧およびパーソナルケア用品、人体に使用する製品、ヒトの皮膚に適用する製品、および芳香消費材から選択される製品へ、請求項１〜６のいずれかに記載の化合物、２−エチルヘキシルグリシナートおよびグリコール酸エチルヘキシルからなる群から選択される、抗細菌、抗真菌または悪臭中和化合物の有効量を混合することによる、抗細菌、抗真菌および／または悪臭中和製品の製造方法。
【請求項１４】
請求項１〜６のいずれかに記載の化合物、２−エチルヘキシルグリシナートおよびグリコール酸エチルヘキシルを含む、請求項１３に記載の方法で製造された製品。
【手続補正書】
【提出日】平成20年8月26日(2008.8.26)
【手続補正１】
【補正対象書類名】特許請求の範囲
【補正対象項目名】全文
【補正方法】変更
【補正の内容】
【特許請求の範囲】
【請求項１】
式Ｉの化合物および賦形剤を含む抗細菌性または悪臭抑制性の組成物であって、
【化１】
2008512361.tif 000001
式中、YはOおよびNHから選択され、XはCOおよびCH2から選択され、R2は分枝飽和炭化水素部分または分枝不飽和炭化水素部分であり、C7〜C15から選択される式IIで表され、
【化２】
2008512361.tif 000002
式中、C1とC2との間の結合は単結合または二重結合であり、R3およびR4の選択は、独立してメチル、エチル、プロピル、ブチル、ペンチル、ヘキシル、ヘプチルおよびオクチル、ノニル、デシル、ウンデシルおよびドデシル、ならびに単環アラルキル残基であって、C1、C2、C3、C4またはC5アルキルによって任意に置換されていてもよいものからなされ、
前記化合物の量は抗細菌効果または悪臭抑制効果を十分に与える量である、前記組成物。
【請求項２】
R2が脂肪族である、請求項１に記載の組成物。
【請求項３】
YがOである、請求項１または２に記載の組成物。
【請求項４】
XがCOである、請求項１、２または３に記載の組成物。
【請求項５】
R2が飽和されている、請求項１、２、３または４に記載の組成物。
【請求項６】
R3 = エチルおよびR4 = プロピルである化合物、R3 = ブチルおよびR4 = メチルである化合物、R3 = ブチルおよびR4 = ペンチルである化合物、R3 = ヘキシルおよびR4 = プロピルである化合物、R3 = ヘキシルおよびR4 = ヘプチルである化合物、R3 = オクチルおよびR4 = ペンチルである化合物からなる群から選択される、請求項５に記載の組成物。
【請求項７】
消費者製品、家庭製品、化粧およびパーソナル・ケア製品、人体上において用いる製品、ヒトの皮膚に適用する製品、ならびに香気付き消費者グッズからなる群から選択される、請求項１〜６のいずれかに記載の組成物。
【請求項８】
式Ｉ中のYがOであり、ＸがCOであり、ただし、(2-エチル-ヘキシルオキシ)酢酸、2-ヘキシル-デカン酸カルボキシメチルエステル、2-(2-エチルヘキサンアミノ)酢酸、2-(2-プロピルペンタンアミド)酢酸、2-(2-プロピルペント-2-エンアミド)酢酸、および2-(2-エチルヘキサンアミド)酢酸からなる群からは選択されない、請求項１に記載の組成物。
【請求項９】
請求項８に記載の化合物の製造方法。
【請求項１０】
抗細菌組成物または悪臭抑制組成物のための請求項１〜６のいずれかに記載の化合物の使用。
【請求項１１】
消費者製品、家庭製品、化粧およびパーソナル・ケア製品、人体上において用いる製品、ヒトの皮膚に適用する製品、ならびに香気付き消費者グッズからなる群から選択される製品における抗細菌組成物または悪臭抑制組成物としての、請求項１〜６のいずれかに記載の化合物の使用。
【請求項１２】
抗細菌組成物または悪臭抑制組成物の製造方法であって、有効量の請求項１〜６のいずれかに記載の化合物を混和することによる前記製造方法。
【手続補正書】
【提出日】平成20年7月8日(2008.7.8)
【手続補正１】
【補正対象書類名】特許請求の範囲
【補正対象項目名】全文
【補正方法】変更
【補正の内容】
【特許請求の範囲】
【請求項１】
アルツハイマー病、パーキンソン病、タウオパチー、プリオン病、前頭側頭骨性認知症、線条体黒質変性症、レヴィー小体認知症、ハンチントン病、ピック病、アミロイド症、および過剰なＡβ産生と関連する他の神経変性障害のようなＡβ産生および／または分泌と関連する病的状態の処置または予防用医薬の製造における、非免疫抑制性、シクロフィリン結合性サイクロスポリンの使用。
【請求項２】
Ａβ産生および／または分泌と関連する病的状態を処置または予防する方法であって、該患者に有効量の非免疫抑制性、シクロフィリン結合性サイクロスポリンを投与することを含む、方法。
【請求項３】
非免疫抑制性、シクロフィリン結合性サイクロスポリンが、式Ａ
【化１】
2008512351.tif 000001
〔式中、Ｂは式Ｂ
【化２】
2008512351.tif 000002
[式中、ａは２位のαＡｂｕ残基への結合を意味し；
ｂは、４位の残基Ｃへの結合を意味し；
Ａｌｋは２〜６個の炭素原子を含む直鎖または分枝鎖アルキレンまたは３〜６個の炭素原子を含むシクロアルキレンを意味し、そして
Ｒは
カルボキシまたはアルキルオキシカルボニルラジカル；
ラジカル−ＮＲ１Ｒ２(ここで、Ｒ１およびＲ２は同一または異なって、水素、アルキル、Ｃ２−４アルケニル、Ｃ３−６シクロアルキル、フェニル(所望によりハロゲン、アルコキシ、アルコキシカルボニル、アミノ、アルキルアミノまたはジアルキルアミノで置換されていてよい)またはベンジル、または５または６環原子および１〜３個のヘテロ原子を含む飽和もしくは不飽和ヘテロシクリルラジカルであるか、またはＲ１およびＲ２は、それらが結合している窒素原子と一体となって、４〜６環原子を含み、そして窒素、酸素または硫黄から選択されるヘテロ原子をさらに含んでいてよく、かつアルキル、フェニルまたはベンジルで置換されていてよい飽和または不飽和ヘテロ環を形成する)；
式
【化３】
2008512351.tif 000003
(式中、Ｒ１およびＲ２は上記で定義の通りであり、Ｒ３は水素またはアルキルラジカルであり、そしてｎは２〜４の整数であり、
そして、アルキルは１〜４個の炭素原子を含む直鎖または分枝鎖アルキルである。)
のラジカルである。]
のアミノ酸残基であり；
ＣはＭｅＬｅｕまたは４−ヒドロキシ−ＭｅＬｅｕである。〕
の化合物およびその薬学的に許容される塩である、請求項１記載の使用または請求項２記載の方法。
【請求項４】
非免疫抑制性、シクロフィリン結合性サイクロスポリンが、式Ｉ：
【化４】
2008512351.tif 000004
〔式中、
ＷはＭｅＢｍｔ、ジヒドロ−ＭｅＢｍｔまたは８'−ヒドロキシ−ＭｅＢｍｔであり；
ＸはαＡｂｕ、Ｖａｌ、Ｔｈｒ、ＮｖａまたはＯ−メチルスレオニン(ＭｅＯＴｈｒ)であり；
ＲはＳａｒまたは(Ｄ)−ＭｅＡｌａであり；
ＹはＭｅＬｅｕ、γ−ヒドロキシ−ＭｅＬｅｕ、ＭｅＩｌｅ、ＭｅＶａｌ、ＭｅＴｈｒ、ＭｅＡｌａ、ＭｅＴｙｒ、ＭｅＴｙｒ(Ｏ−ＰＯ(ＯＨ)２)、ＭｅａＩｌｅまたはＭｅａＴｈｒ、またはＰｒｏであり；
ＺはＶａｌ、Ｌｅｕ、Ｎ−Ａｌｋ−ＶａｌまたはＮ−Ａｌｋ−Ｌｅｕであり、
ここで、ＡｌｋはＭｅまたは、ビニル(これは所望によりフェニル、または６環員を含むＮ、ＳもしくはＯヘテロアリールで置換されていてよい)もしくはフェニル(これは所望によりハロゲンで置換されていてよい)で置換されたＭｅを意味し、
ＱはＭｅＬｅｕ、γ−ヒドロキシ−ＭｅＬｅｕまたはＭｅＡｌａである。〕
の化合物である、請求項１記載の使用または請求項２記載の方法。
【請求項５】
非免疫抑制性、シクロフィリン結合性サイクロスポリンが：
ａ)[ジヒドロ−ＭｅＢｍｔ]１−[γ−ヒドロキシ−ＭｅＬｅｕ]４−シクロスポリン；
ｂ)[ＭｅＶａｌ]４−シクロスポリン；
ｃ)[ＭｅＩｌｅ]４−シクロスポリン；
ｄ)[ＭｅＴｈｒ]４−シクロスポリン；
ｅ)[γ−ヒドロキシ−ＭｅＬｅｕ]４−シクロスポリン；
ｆ)[Ｎｖａ]２−[γ−ヒドロキシ−ＭｅＬｅｕ]４−シクロスポリン；
ｇ)[γ−ヒドロキシ−ＭｅＬｅｕ]４−[γ−ヒドロキシ−ＭｅＬｅｕ]６−シクロスポリン；
ｈ)[ＭｅＶａｌ]５−シクロスポリン；
ｉ)[ＭｅＯＴｈｒ]２−[(Ｄ)ＭｅＡｌａ]３−[ＭｅＶａｌ]５−シクロスポリン、または
ｊ)[８'−ヒドロキシ−ＭｅＢｍｔ]１−シクロスポリン。
ｍ)[Ｎ−ベンジル−Ｖａｌ]５−シクロスポリン、
ｎ)[Ｎ−５−フルオロ−ベンジル−Ｖａｌ]５−シクロスポリン、
ｏ)[Ｎ−アリル−Ｖａｌ]５−シクロスポリン、
ｐ)[Ｎ−３−フェニル−アリル−Ｖａｌ]５−シクロスポリン、
ｑ)[Ｐｒｏ]４−シクロスポリン、または
ｒ)[γ−ヒドロキシ−ＭｅＬｅｕ]９−シクロスポリン
から選択される、請求項１記載の使用または請求項２記載の方法。
【請求項６】
非免疫抑制性、シクロフィリン結合性サイクロスポリンが[ＭｅＶａｌ]４−シクロスポリンである、請求項１記載の使用または請求項２記載の方法。
【手続補正書】
【提出日】平成20年8月19日(2008.8.19)
【手続補正１】
【補正対象書類名】特許請求の範囲
【補正対象項目名】全文
【補正方法】変更
【補正の内容】
【特許請求の範囲】
【請求項１】
複数のモードを有する電子機器を制御する方法であって：
制御信号の第１の発生に応じて、前記複数のモードが一度に１モードずつ第１期間だけ表示されることを可能にするステップ；
前記制御信号の第２の発生に応じて、前記モードの表示中の１つが選択されることを可能にするステップ；及び
前記制御信号の前記第２の発生に応じて、選択されたモードに関連する複数の選択肢の各々が第２期間だけ表示されることを可能にするステップ；
を有する方法。
【請求項２】
前記制御信号の第３の発生に応じて、前記選択肢の表示中の１つが選択されることを可能にするステップ；及び
前記制御信号の前記第３の発生に応じて、選択された選択肢を実行するステップ；
を更に有する請求項１に記載の方法。
【請求項３】
複数のモードに関連するデータを記憶する記憶手段；及び
制御信号の第１の発生に応じて、前記複数のモードが一度に１モードずつ第１期間だけ表示されることを可能にする処理手段であり：
前記制御信号の第２の発生に応じて、前記モードの表示中の１つが選択されることを可能にし；且つ
前記制御信号の前記第２の発生に応じて、選択されたモードに関連する複数の選択肢の各々が第２期間だけ表示されることを可能にする；
処理手段；
を有する電子機器。
【請求項４】
前記処理手段が、前記制御信号の第３の発生に応じて、前記選択肢の表示中の１つが選択されることを可能にし；且つ
前記処理手段が、前記制御信号の前記第３の発生に応じて、選択された選択肢を実行する；
請求項３に記載の電子機器。
【手続補正書】
【提出日】平成20年8月11日(2008.8.11)
【手続補正１】
【補正対象書類名】特許請求の範囲
【補正対象項目名】全文
【補正方法】変更
【補正の内容】
【特許請求の範囲】
【請求項１】
サービス・プロバイダからの番組信号を受信し、処理するよう適合させたビデオ処理装置を制御する方法であって、
共通の加入者アカウントに関連した第２のビデオ処理装置との、局所通信リンクを介した通信結合を設定する工程と、
受信された構成情報に応じて第１のモード及び第２のモードの一方において動作する工程であって、前記第１のモードでは、前記ビデオ処理装置は、前記第２のビデオ処理装置との、同じ場所での配置のステータスを定期的に判定し、前記同じ場所での配置のステータスの確認に応じて、前記局所通信リンクを介して認可情報を前記第２のビデオ処理装置に送信し、前記第２のモードでは、前記局所通信リンクを介した認可情報の受信によってのみ表示信号を供給するよう前記番組信号を処理する工程と、
前記認可情報が所定の期間内に受信されない場合、前記ビデオ処理装置を前記第２のモードから第３のモードに移す工程であって、前記第３のモードでは、前記ビデオ処理装置は、前記受信された番組信号の処理を停止する工程と、
前記サービス・プロバイダから受信されたコマンドに応じてのみ、前記ビデオ処理装置を前記第３のモードからスタンドバイ・モードに移す工程とを備え、
前記ビデオ処理装置は、前記スタンドバイ・モードからのみ、前記第１のモード及び前記第２のモードのうちの一方に移すことが可能であり、前記ビデオ処理装置は、サービス設置者、ユーザ、及び前記第２のビデオ処理装置のうちの１つから、有効な構成情報を受信する方法。
【請求項２】
請求項１記載の方法であって、前記ビデオ処理装置は、前記ビデオ処理装置が、所定の期間内に前記第２のビデオ処理装置との通信を設定できない場合に、前記第１のモードから前記第３のモードに移される方法。
【請求項３】
請求項１記載の方法であって、前記第１のモードでは、前記ビデオ処理装置は、同じ場所での配置のステータスを有しており、前記局所通信リンクを介して前記共通の加入者アカウントに関連した他のビデオ処理装置全てを発見し、前記他のビデオ処理装置を前記第２のモードに入れる旨の構成情報を前記他のビデオ処理装置に送信する方法。
【請求項４】
請求項３記載の方法であって、前記第１のモードでは、前記ビデオ処理装置は、前記他のビデオ処理装置のそれぞれの前記同じ場所での配置のステータスを定期的に判定し、同じ場所での配置のステータスが前記局所通信リンクを介して確認される各ビデオ処理装置に認可情報をそれぞれ送信する方法。
【請求項５】
サービス・プロバイダからの番組信号を受信し、処理するよう適合させたビデオ処理装置であって、
前記サービス・プロバイダからの前記番組信号を受信する信号入力と、
表示信号を供給するよう受信コンテンツを処理する処理装置と、
局所通信リンクを介した第２のビデオ処理装置との通信を設定する通信装置と、
受信された構成情報に応じて第１のモード及び第２のモードの一方に前記ビデオ処理装置を入れるコントローラとを備え、前記第１のモードでは、前記ビデオ処理装置は、前記第２のビデオ処理装置との、同じ場所での配置のステータスを定期的に判定し、前記同じ場所での配置のステータスの確認に応じて、前記局所通信リンクを介して認可情報を前記第２のビデオ処理装置に送信し、前記第２のモードでは、前記局所通信リンクを介した認可情報の受信によってのみ表示信号を供給するよう前記受信された番組信号を処理し、前記コントローラは、前記認可情報が所定の期間内に受信されない場合、前記ビデオ処理装置を前記第２のモードから第３のモードに移し、前記第３のモードでは、前記ビデオ処理装置は、受信されたコンテンツの処理を停止し、前記コントローラは、前記サービス・プロバイダから受信されたコマンドに応じてのみ、前記ビデオ処理装置を前記第３のモードからスタンドバイ・モードに移し、前記コントローラは、前記スタンドバイ・モードからのみ、前記ビデオ処理装置を前記第１のモード及び前記第２のモードのうちの一方に移すことができ、有効な構成情報がサービス設置者、ユーザ、及び前記第２のビデオ処理装置のうちの１つから受信されるビデオ処理装置。
【請求項６】
請求項５記載のビデオ処理装置であって、前記第１のモードでは、前記通信装置は、前記局所通信リンクに結合された他のビデオ処理装置全てに、同じ場所での配置の検証メッセージを送信し、前記コントローラは、同じ場所での配置のステータスを有しており、前記共通の加入者アカウントに関連した他のビデオ処理装置全てに前記局所通信リンクを介して、前記他のビデオ処理装置を前記第２のモードに入れる旨の構成情報を送信するビデオ処理装置。
【請求項７】
請求項６記載のビデオ処理装置であって、前記第１のモードでは、前記コントローラは、前記他のビデオ処理装置のそれぞれの前記同じ場所での配置のステータスを定期的に判定し、同じ場所での配置のステータスが前記局所通信リンクを介して確認される各ビデオ処理装置に認可情報をそれぞれ送信するビデオ処理装置。
【手続補正書】
【提出日】平成20年8月6日(2008.8.6)
【手続補正１】
【補正対象書類名】特許請求の範囲
【補正対象項目名】全文
【補正方法】変更
【補正の内容】
【特許請求の範囲】
【請求項１】
ＡＣＡＲＳメッセージングの方法であって、
メッセージコンテンツを含むＡＣＡＲＳメッセージを入手するステップ（６１４、６３２）と、
前記ＡＣＡＲＳメッセージを、前記メッセージコンテンツを含むＡＳＮ．１準拠メッセージへとコード化するステップ（６１６、６３４）と、
前記ＡＳＮ．１準拠メッセージを、前記メッセージコンテンツを含むＡＣＡＲＳ−ＩＰメッセージへと翻訳するステップ（６１８、６３６）であって、前記ＡＣＡＲＳ−ＩＰメッセージが、プロトコルのＴＣＰ／ＩＰスイートに準拠しているステップと、
ＴＣＰ／ＩＰデータリンク（１０８）を介して航空機（１０２）とメッセージ処理サーバ（１０６）との間で前記ＡＣＡＲＳ−ＩＰメッセージを送信するステップ（６２０、６３８）とを含む方法。
【請求項２】
前記ＡＣＡＲＳ−ＩＰメッセージが、ダウンリンクメッセージ及びアップリンクメッセージの内の１つである請求項１に記載の方法。
【請求項３】
フライト中のＡＣＡＲＳダウンリンクメッセージに優先順位を付けるステップと、
前記優先順位を付けるステップに応答して、１つまたは複数のＡＣＡＲＳ−ＩＰダウンリンクメッセージとして送信するために前記フライト中のＡＣＡＲＳダウンリンクメッセージのうちの１つまたは複数をキューに入れるステップ（６１４）とをさらに含む請求項１に記載の方法。